(57)【要約】【課題】  運搬用具により運搬する非使用時に電源の電力を確実に節電できる撮像装置、液晶テレビ等の電気機器の提供。【解決手段】  運搬用具であるストラップ５による運搬の検出を行う検出部６を備え、給電中に検出部６が運搬を検出したとき、給電を停止するように構成した。また、給電中に検出部６が運搬を検出したとき、給電量が減少するように制御する給電制御部９を備えるようにした。また、停止信号を給電制御部９に出力する手段、及び省電力信号を給電制御部９に出力する手段を有する制御部６６を備えるようにした。また、タイマを備え、給電量が減少してから所定の時間が経過したとき、給電を停止するようにした。また、検出部６は、ストラップ５により加えられる牽引力が所定の牽引力以上の場合に信号を出力するセンサを備えるようにした。【選択図】        図３
2005175820.tif 000002
【特許請求の範囲】
【請求項１】
運搬用具が取付けられ、電源からの給電により動作する電気機器において、
前記運搬用具による運搬の検出を行う検出部を備え、前記電源からの給電が行われている場合に、前記検出部が前記運搬用具による運搬の検出をしたとき、前記電源からの給電を停止するように構成してあることを特徴とする電気機器。
【請求項２】
運搬用具が取付けられ、電源からの給電により動作する電気機器において、
前記運搬用具による運搬の検出を行う検出部と、
前記電源からの給電が行われている場合に、前記検出部が前記運搬用具による運搬の検出をしたとき、給電量が減少するように制御する給電制御部と
を備えることを特徴とする電気機器。
【請求項３】
運搬用具が取付けられ、電源からの給電により動作する電気機器において、
前記運搬用具による運搬の検出を行う検出部と、
停止信号の入力により前記電源からの給電を停止させるように制御すると共に、省電力信号の入力により給電量が減少するように制御する給電制御部と、
前記停止信号を前記給電制御部に出力する手段、及び前記省電力信号を前記給電制御部に出力する手段を有し、前記電源からの給電が行われている場合に、前記検出部が前記運搬用具による運搬の検出をしたとき、前記停止信号又は省電力信号を出力する信号出力部と
を備えることを特徴とする電気機器。
【請求項４】
給電量が減少するように制御したときから時間の計測を開始するタイマを備え、
該タイマが所定の時間を計測した場合に前記電源からの給電を停止するように構成してあることを特徴とする請求項２又は３に記載の電気機器。
【請求項５】
前記検出部は、前記運搬用具により加えられる牽引力が所定の牽引力以上の場合に信号を出力するセンサを備えることを特徴とする請求項１乃至４の何れか一つに記載の電気機器。
【請求項６】
給電されることにより撮像機能を発揮する撮像部を備え、前記電源からの給電が行われている場合に、前記検出部が前記運搬用具による運搬の検出をしたとき、前記撮像部の撮像機能が停止するように構成してあることを特徴とする請求項１乃至５の何れか一つに記載の電気機器。
【請求項７】
給電されることにより表示機能を発揮する液晶表示部を備え、前記電源からの給電が行われている場合に、前記検出部が前記運搬用具による運搬の検出をしたとき、前記液晶表示部の表示機能が停止するように構成してあることを特徴とする請求項１乃至５の何れか一つに記載の電気機器。
【発明の詳細な説明】
【技術分野】
【０００１】
本発明は、運搬用具による運搬ができ、運搬途中における誤作動の防止及び節電が可能な電気機器に関する。
【背景技術】
【０００２】
電源からの給電により撮像することが可能なビデオカメラ（デジタルビデオカメラを含む）、カメラ（デジタルカメラを含む）又は持ち運びが可能な液晶テレビ等の電気機器は、電源スイッチを操作することにより電源からの給電が行われて撮像又は視聴することが可能になる。また、電源スイッチを再度操作することにより電源からの給電が停止される（例えば、特許文献１参照。）。
【０００３】
このような電気機器は、撮像又は視聴を中断した場合、ストラップ又は把持部等の運搬用具によって運搬される場合がある。
【特許文献１】特開平０９−２１３１５６号公報
【発明の開示】
【発明が解決しようとする課題】
【０００４】
しかしながら、特許文献１に開示された撮像装置は、撮像を中断する場合に電源スイッチを操作し忘れる場合がある。このように電源スイッチを操作し忘れた場合には、ストラップによって撮像装置を吊下げた状態で持ち運んでいる間に電源の電力を浪費し、撮像を再開するときに電源の電力が残り少なく、意に反して撮像が十分にできない場合があるという問題があった。
【０００５】
このような、電源スイッチの操作し忘れに起因する電源の電力の浪費という問題は、電源からの給電により撮像することが可能な撮像装置に限らず、電源からの給電を電源スイッチにて操作する電気機器において生じ得る。
【０００６】
本発明は斯かる事情に鑑みてなされたものであり、運搬用具を使用した場合に、電源からの給電が停止するように、又は給電量が減少するように構成することにより、運搬用具を使用した運搬時に電源の電力が確実に節電できる電気機器を提供することを目的とする。
【課題を解決するための手段】
【０００７】
本発明に係る電気機器は、運搬用具が取付けられ、電源からの給電により動作する電気機器において、前記運搬用具による運搬の検出を行う検出部を備え、前記電源からの給電が行われている場合に、前記検出部が前記運搬用具による運搬の検出をしたとき、前記電源からの給電を停止するように構成してあることを特徴とする。
【０００８】
本発明においては、運搬用具により電気機器を運搬した場合、検出部が運搬用具による運搬の検出を行う。検出部が運搬用具による運搬を検出することにより電源からの給電が停止する。従って、電気機器の使用を中断して運搬用具により電気機器を運搬したとき、電源からの給電が停止し、電源の電力が節電される。
【０００９】
本発明に係る電気機器は、運搬用具が取付けられ、電源からの給電により動作する電気機器において、前記運搬用具による運搬の検出を行う検出部と、前記電源からの給電が行われている場合に、前記検出部が前記運搬用具による運搬の検出をしたとき、給電量が減少するように制御する給電制御部とを備えることを特徴とする。
【００１０】
本発明においては、運搬用具により電気機器を運搬した場合、検出部が運搬用具による運搬の検出を行う。検出部が運搬用具による運搬の検出をすることにより給電制御部が、給電量が減少するように制御する。従って、電気機器の使用を中断して運搬用具により電気機器を運搬したとき、給電量が減少し、電源の電力が節電されると共に、電気機器の使用を再開するために要する時間が、給電が停止された場合よりも短い。
【００１１】
本発明に係る電気機器は、運搬用具が取付けられ、電源からの給電により動作する電気機器において、前記運搬用具による運搬の検出を行う検出部と、停止信号の入力により前記電源からの給電を停止させるように制御すると共に、省電力信号の入力により給電量が減少するように制御する給電制御部と、前記停止信号を前記給電制御部に出力する手段、及び前記省電力信号を前記給電制御部に出力する手段を有し、前記電源からの給電が行われている場合に、前記検出部が前記運搬用具による運搬の検出をしたとき、前記停止信号又は省電力信号を出力する信号出力部とを備えることを特徴とする。
【００１２】
本発明においては、検出部は、運搬用具による運搬の検出を行い、信号出力部は、電源からの給電が行われている場合に、検出部が運搬用具による運搬の検出をしたとき、停止信号又は省電力信号を給電制御部に出力する。停止信号が給電制御部に入力された場合、給電制御部は、電源からの給電を停止するように制御し、省電力信号が給電制御部に入力された場合、給電制御部は、給電量が減少するように制御する。
【００１３】
本発明に係る電気機器においては、給電量が減少するように制御したときから時間の計測を開始するタイマを備え、該タイマが所定の時間を計測した場合に前記電源からの給電を停止するように構成してあることを特徴とする。
【００１４】
本発明においては、給電制御部が、給電量が減少するように制御し、給電量が減少するように制御したときからタイマが時間を計測する。タイマが所定の時間を計測した場合、電源からの給電が停止されるから、電源の電力をより節電しつつ、所定の時間内は、電気機器の使用を再開するために要する時間が、給電が停止された場合よりも短い。
【００１５】
本発明に係る電気機器においては、前記検出部は、前記運搬用具により加えられる牽引力が所定の牽引力以上の場合に信号を出力するセンサを備えることを特徴とする。
【００１６】
本発明においては、運搬用具により電気機器を運搬した場合、運搬用具により加えられる牽引力が所定の牽引力以上のときに、センサが信号を出力し、運搬用具による運搬の検出をする。従って、電気機器の使用を中断して運搬用具により電気機器を運搬したとき、電源からの給電が停止、又は給電量が減少するから、電源の電力が節電される。
【００１７】
本発明に係る電気機器においては、給電されることにより撮像機能を発揮する撮像部を備え、前記電源からの給電が行われている場合に、前記検出部が前記運搬用具による運搬の検出をしたとき、前記撮像部の撮像機能が停止するように構成してあることを特徴とする。
【００１８】
本発明においては、電気機器は、電源からの給電が行われている場合に、撮像部により撮像することができる。運搬用具により電気機器を運搬した場合、検出部が運搬用具による運搬の検出を行う。検出部が運搬用具による運搬の検出を行うことにより、電源からの給電が停止、又は給電量が減少し、撮像部の撮像機能が停止する。従って、撮像部による撮像を中断する場合に、運搬用具により電気機器を運搬したとき、電源からの給電が停止又は給電量が減少して節電され、撮像を再開する場合に、撮像することが可能な時間が意に反して短いということがない。
【００１９】
本発明に係る電気機器においては、給電されることにより表示機能を発揮する液晶表示部を備え、前記電源からの給電が行われている場合に、前記検出部が前記運搬用具による運搬の検出をしたとき、前記液晶表示部の表示機能が停止するように構成してあることを特徴とする。
【００２０】
本発明においては、電気機器が液晶テレビのように運搬が可能な手段を備える製品の場合、運搬用具により液晶テレビを運搬したとき、検出部が運搬用具による運搬の検出を行う。検出部が運搬用具による運搬の検出を行うことにより、電源からの給電が停止、又は給電量が減少する。従って、視聴中に液晶テレビの場所を移動させる際に、運搬用具にて運搬することにより、電源からの給電が停止、又は給電量が減少して節電される。
【発明の効果】
【００２１】
本発明に係る電気機器においては、運搬用具により運搬された場合に電源からの給電が停止されるから、使用を中断して電源スイッチを操作し忘れた場合でも、運搬用具により運搬されたときに、電源の電力を確実に節電することができる。
【００２２】
また、本発明に係る電気機器においては、運搬用具により運搬された場合、給電量が減少するように給電制御部によって制御されるから、使用を中断して電源スイッチを操作し忘れた場合でも、運搬用具により運搬されたときに電源の電力を確実に節電することができると共に、使用を再開するために要する時間が、給電が停止された場合よりも短い。
【００２３】
また、本発明に係る電気機器においては、給電量が減少した後、所定の時間を経過した場合に電源からの給電が停止されるから、所定の時間内であれば、使用を再開するために要する時間が短く、給電量が減少するように制御するだけの場合よりも電源の電力を節電できる。
【００２４】
さらに、本発明に係る電気機器においては、運搬用具により運搬された場合に、電源からの給電が停止、又は給電量が減少するから、撮像部による撮像を中断して電源スイッチを操作し忘れた場合でも、運搬用具により運搬されたときに、電源の電力を確実に節電することができる。従って、撮像を再開する場合に電源の電力が残り少なく、意に反して撮像が十分にできないということを防止できる。
【発明を実施するための最良の形態】
【００２５】
以下、本発明をその実施の形態を示す図面に基づいて詳述する。
【００２６】
実施の形態１
図１は、実施の形態１の撮像装置の外観を示す斜視図である。
【００２７】
図において１は撮像装置であり、撮像装置１は、電源２（図３参照）からの給電により撮像することが可能なビデオカメラ（電気機器）である。撮像装置１は、撮像部３にて撮像した画像の情報を記録部４に装着された記録媒体に記録することができ、電源２からの給電により撮像することが可能な起動状態と、電源２からの給電が停止されて撮像することが不可能な停止状態とを切替えるメイン電源スイッチ１０を備えている。撮像装置１は、停止状態においてメイン電源スイッチ１０が操作された場合には、電源２からの給電が行われて撮像することが可能な起動状態になり、起動状態においてメイン電源スイッチ１０が操作された場合には、電源２からの給電が停止して停止状態に切替えられる。
【００２８】
このような撮像装置１には、運搬用具であるストラップ５が取付けられ、このストラップ５を保持することにより、撮像装置１を吊下げて運搬することができる。
【００２９】
図２は、実施の形態１の撮像装置１が備える検出部の断面図である。
【００３０】
ストラップ５は、ストラップ５による運搬の検出を行う検出部６が備える取付部材６０に取付けられている。検出部６は、取付部材６０の他に、撮像装置１の筐体１３の内部に配されたスイッチ６１とコイルスプリング（付勢部材）６５とを備えており、取付部材６０は、スイッチ６１に対して接離することが可能に設けられている。取付部材６０は、筐体１３の内部に配された板状の基部６３を備えており、基部６３の一面には、スイッチ６１に当接する短円柱状の当接部６２が凸設され、基部６３の他面には、筐体１３に設けられた開口部１４を挿通すると共に、ストラップ５が取付けられた杆状の取付部６４が凸設されている。基部６３の他面と筐体１３の内面との間には、取付部６４を囲繞するように配された前述のコイルスプリング６５が介装され、コイルスプリング６５は、取付部材６０をスイッチ６１の方へ付勢して当接部６２をスイッチ６１に当接させている。コイルスプリング６５のスプリング荷重は、撮像装置１の重量よりも軽い値に設定され、ストラップ５により撮像装置１を吊下げた場合には、撮像装置１の自重の作用によって、取付部材６０がコイルスプリング６５の付勢力に抗してスイッチ６１から離反するように構成してある。
【００３１】
図３は、実施の形態１の撮像装置１の電気的な構成の要部を示すブロック図である。
【００３２】
図において２は電源であり、電源２は、例えば、二次電池により構成されている。電源２には、給電制御部９が電力線Ｄ１により接続され、電源２の電力は、給電制御部９を介して各部３，４，１１，６６に供給される。電源２と給電制御部９とは、信号線Ｓ３によっても接続され、信号線Ｓ３の中途には、メイン電源スイッチ１０が設けられている。給電制御部９は、メイン電源スイッチ１０の操作に応じて入力される給電制御信号に基づいて各部３，４，１１，６６と電源２との接続のオン，オフを制御することで電力の供給を制御し、撮像装置１を起動状態又は停止状態に設定する。
【００３３】
給電制御部９には、タイマを備えた制御部（信号出力部）６６が信号線Ｓ２及び電力線Ｄ２により接続され、制御部６６と電源２とは、信号線Ｓ１により接続されている。信号線Ｓ１の中途には、前述したスイッチ６１が設けられ、スイッチ６１に取付部材６０が当接している場合には、信号線Ｓ１を通じて制御部６６に検出信号が入力され、スイッチ６１から取付部材６０が離反した場合には、検出信号が断絶するように構成されている。また、給電制御部９には、液晶モニタ１１、撮像部３及び記録部４が、夫々電力線Ｄ３，Ｄ４，Ｄ５により接続され、制御部６６には、メニュー選択ボタン１２が信号線Ｓ４により接続されている。
【００３４】
液晶モニタ１１は、撮像部３にて撮像している画像をリアルタイムに表示し、また、停止設定又は待機設定の何れの設定にするかを選択する設定選択画像を表示する。メニュー選択ボタン１２は、液晶モニタ１１に表示された設定選択画像で設定を選択する操作を受け付け、制御部６６は、メニュー選択ボタン１２により選択された設定を受け付けて設定する。なお、停止設定とは、撮像装置１が起動状態の場合にストラップ５により吊下げられ、取付部材６０がスイッチ６１から離反したときに、撮像装置１が停止状態に変更される設定である。また、待機設定とは、撮像装置１が起動状態の場合にストラップ５により吊下げられ、取付部材６０がスイッチ６１から離反したときに、電源２から微弱電力が供給される待機状態に変更され、所定の時間が経過した後、更に停止状態に変更される設定である。
【００３５】
前述したように、制御部６６には、信号線Ｓ１を通じて検出信号が入力されており、取付部材６０がスイッチ６１から離反した場合には、制御部６６に入力される検出信号が断絶する。制御部６６は、入力される検出信号が断絶することによって、ストラップ５による運搬の検出をしたことを認識する。制御部６６は、予め選択された設定が停止設定であり、しかも撮像装置１の電力の供給状態が起動状態である場合に、ストラップ５による運搬の検出をしたとき、停止信号を出力する手段を有する。また制御部６６は、予め選択された設定が待機設定であり、しかも撮像装置１の電力の供給状態が起動状態である場合に、ストラップ５による運搬の検出をしたとき、省電力信号を出力する手段も有する。制御部６６が備えるタイマは、省電力信号が出力されたときから時間の計測を開始し、タイマが所定の時間を計測した場合に制御部６６は、停止信号を出力する。制御部６６から出力される停止信号又は省電力信号は、信号線Ｓ２を通じて給電制御部９に入力され、給電制御部９は、停止信号が入力されることにより、ストラップ５による運搬の検出をしたことを認識し、停止信号に基づいて電源２と各部３，４，１１，６６との接続をオフして電源２からの給電を停止させるように制御し、撮像装置１を停止状態にする。また、給電制御部９は、省電力信号が入力されることにより、ストラップ５による運搬の検出をしたことを認識し、省電力信号に基づいて電源２と、例えば液晶モニタ１１との接続をオフして給電量が減少するように制御し、撮像装置１を待機状態にする。
【００３６】
なお、スイッチ６１から取付部材６０が離反し、撮像装置１の電力の供給状態が停止状態又は待機状態に変更された後は、取付部材６０がスイッチ６１に当接しても、撮像装置１の電力の供給状態が起動状態に変更されないように構成してある。撮像装置１の電力の供給状態を起動状態に変更するには、メイン電源スイッチ１０の操作が必要となるように構成してある。
【００３７】
以上のような構成により、本発明に係る撮像装置１は、撮像が中断され、ストラップ５により吊下げた状態で運搬された場合、撮像装置１の自重が筐体１３を介してコイルスプリング６５に作用する。コイルスプリング６５は、撮像装置１の自重の作用を受けることにより取付部材６０の基部６３と筐体１３との間で圧縮され、取付部材６０の当接部６２がスイッチ６１から離反し、制御部６６に入力されている検知信号が断絶する。制御部６６は、検知信号が断絶することによって、ストラップ５による運搬の検出をしたことを認識し、停止信号又は省電力信号を給電制御部９に出力する。給電制御部９は、停止信号又は省電力信号が入力されることによって、ストラップ５による運搬の検出をしたことを認識し、入力された停止信号又は省電力信号に基づいて電源２と各部３，４，１１，６６との接続のオン，オフを制御することで撮像装置１の電力の供給状態を停止状態又は待機状態に変更する。
【００３８】
以下に、実施の形態１の撮像装置１をストラップ５にて吊下げた状態で運搬した場合に、撮像装置１の電力の供給状態を停止状態又は待機状態に変更する手順を、図４に示したフローチャートに基づき説明する。
【００３９】
先ず、給電制御部９は、撮像装置１の電力の供給状態が停止状態又は待機状態の場合に、メイン電源スイッチ１０が操作されたとき、撮像装置１の電力の供給状態を起動状態に変更する（Ｓ１）。なお、撮像装置１が起動状態に変更された後、メニュー選択ボタン１２の操作により停止設定又は待機設定の何れかに設定されている。
【００４０】
次に、制御部６６は、入力されている検出信号が断絶したか否かを、検出信号が断絶するまで繰り返し判断し（Ｓ２）、検出信号が断絶した場合（Ｓ２：ＹＥＳ）には、現在の設定が待機設定か否かを判断する（Ｓ３）。
【００４１】
Ｓ３での判断の結果、否と判断した場合、つまり、現在の設定が待機設定でなく、停止設定の場合（Ｓ３：ＮＯ）には、制御部６６は、停止信号を給電制御部９に出力する。停止信号が入力された給電制御部９は、電源２と各部３，４，１１，６６との接続をオフすることにより撮像装置１の電力の供給状態を停止状態に変更し（Ｓ４）、一連の手順を終了する。
【００４２】
Ｓ３での判断の結果、現在の設定が待機設定であると判断した場合（Ｓ３：ＹＥＳ）には、制御部６６は、省電力信号を給電制御部９に出力する。省電力信号が入力された給電制御部９は、電源２と、例えば液晶モニタ１１との接続をオフすることにより撮像装置１の電力の供給状態を待機状態に変更する（Ｓ５）。このとき制御部６６が備えるタイマは、時間の計測を開始している。
【００４３】
次に、給電制御部９は、メイン電源スイッチ１０が操作されたか否かを判断し（Ｓ６）、メイン電源スイッチ１０が操作されたと判断した場合（Ｓ６：ＹＥＳ）には、Ｓ１に戻って撮像装置１の電力の供給状態を起動状態に変更してＳ２以降の手順を行う。
【００４４】
Ｓ６での判断の結果、メイン電源スイッチ１０が操作されていないと判断した場合（Ｓ６：ＮＯ）には、制御部６６は、タイマにより計測されている時間が、所定の時間を経過しているか否かを判断する（Ｓ７）。
【００４５】
Ｓ７での判断の結果、所定の時間を経過していないと判断した場合（Ｓ７：ＮＯ）には、Ｓ５に戻って待機状態を続け、Ｓ６以降の手順を行う。
【００４６】
Ｓ７での判断の結果、所定の時間が経過していると判断した場合（Ｓ７：ＹＥＳ）には、制御部６６は、給電制御部９に停止信号を出力し、停止信号が入力された給電制御部９は、電源２と各部３，４，６６との接続をオフすることにより撮像装置１の電力の供給状態を停止状態に変更（Ｓ８）して一連の手順を終了する。
【００４７】
以上で説明したように、実施の形態１に示した本発明に係る撮像装置１は、電源２からの電力の供給状態が起動状態の場合に、ストラップ５により吊下げた状態で運搬されたとき、電力の供給状態が停止状態又は待機状態に変更される。これにより電源２の電力を確実に節電できるから、撮像を中断した後に再開する場合に電源２の電力が残り少なく、意に反して撮像が十分にできないということが防止できる。
【００４８】
実施の形態２
図５は、実施の形態２の撮像装置１の電気的な構成の要部を示すブロック図である。
【００４９】
図において８は圧力センサであり、圧力センサ８は、信号線Ｓ１により制御部６６に接続され、圧力センサ８には、ストラップ５が取付けられている。圧力センサ８は、ストラップ５を保持して撮像装置１を吊下げた場合に撮像装置１の自重の作用によりストラップ５が加える牽引力が所定の牽引力以上のときにストラップ５による運搬の検出を行うものであり、ストラップ５による運搬を検出した場合には、検出信号を制御部６６に出力する。
【００５０】
検出信号が入力された制御部６６は、予め選択された設定に基づいて停止信号又は省電力信号を給電制御部９に出力する。なお、実施の形態２の撮像装置１は、取付部材６０、スイッチ６１及びコイルスプリング６５を備えず、圧力センサ８が検出部６の構成部品となる。
【００５１】
以下に、実施の形態２の撮像装置１をストラップ５にて吊下げた状態で運搬した場合に、撮像装置１の電力の供給状態を停止状態又は待機状態に変更する手順を、図６に示したフローチャートに基づき説明する。
【００５２】
図６に示したフローチャートは、図４に示したフローチャートに対してＳ２のステップの内容が異なり、その他は同一のため、図６においては図４のＳ１〜８に相当するステップにＳ１１〜１８なるステップ番号を付してＳ１２のステップ以外の説明を省略する。
【００５３】
Ｓ２のステップに相当するＳ１２のステップでは、圧力センサ８は、ストラップ５により加えられる牽引力が所定の牽引力未満の場合には、検出信号を出力せず（Ｓ１２：ＮＯ）、所定の牽引力以上の場合（Ｓ１２：ＹＥＳ）に検出信号を制御部６６に出力し、Ｓ１３のステップに進行する。
【００５４】
その他の構成及び作用は、前述した実施の形態１と同様のため、同様の構成については同じ参照符号を付し、その構成の詳細な説明及び作用の説明を省略する。
【００５５】
実施の形態３
図７は本発明に係る電気機器である液晶テレビの正面図、図８は本発明に係る電気機器である液晶テレビの一部を断面にした側面図、図９は本発明に係る電気機器である液晶テレビの電気的な構成の要部を示すブロック図である。
【００５６】
図において７は液晶テレビであり、液晶テレビ７は、内蔵された電源２からの給電によりテレビ放送を視聴することが可能な電気機器である。液晶テレビ７は、受信部７０にて受信したテレビ放送を液晶モニタ１１に表示することができ、電源２からの給電によりテレビ放送を表示することが可能な起動状態と、電源２からの給電が停止されてテレビ放送を表示することが不可能な停止状態とを切替えるメイン電源スイッチ１０を備えている。液晶テレビ７は、停止状態においてメイン電源スイッチ１０が操作された場合には、電源２からの給電が行われてテレビ放送を表示することが可能な起動状態になり、起動状態においてメイン電源スイッチ１０が操作された場合には、電源２からの給電が停止して停止状態に切替えられる。
【００５７】
このような液晶テレビ７には、運搬用具である把持具５ａが取付けられ、この把持具５ａを把持して液晶テレビ７を運搬することができる。把持具５ａは、把持具５ａによる運搬の検出を行う検出部６が備える取付部材６０に連結されている。
【００５８】
前述の電源２には、給電制御部９が接続され、給電制御部９には、制御部６６、液晶モニタ１１及び受信部７０が夫々電力線Ｄ２，Ｄ３，Ｄ４により接続されている。また、給電制御部９と制御部６６とは、信号線Ｓ２によっても接続され、給電制御部９と液晶モニタ１１とは、信号線Ｓ５によっても接続されている。
【００５９】
給電制御部９は、制御部６６からの停止信号が入力されることにより、把持具５ａによる運搬の検出をしたことを認識し、停止信号に基づいて電源２と各部１１，６６，７０との接続をオフして電源２からの給電を停止させるように制御し、液晶テレビ７を停止状態にする。また、給電制御部９は、制御部６６からの省電力信号が入力されることにより、把持具５ａによる運搬の検出をしたことを認識し、省電力信号に基づいて、液晶モニタ１１が備えるバックライトを消灯させる信号を、信号線Ｓ５を通じて液晶モニタ１１に出力することで、給電量が減少するように制御し、液晶テレビ７を待機状態にする。
【００６０】
このような構成により、本発明に係る液晶テレビ７は、視聴が中断されて把持具５ａによって運搬された場合、検出部６が把持具５ａによる運搬を検出し、制御部６６から給電制御部９に停止信号又は省電力信号が出力される。停止信号又は省電力信号が入力された給電制御部９は、停止信号又は省電力信号に基づいて液晶テレビ７の電力の供給状態を停止状態又は待機状態に変更する。
【００６１】
以上で説明したように、実施の形態３に示した本発明に係る液晶テレビ７は、電力の供給状態が起動状態の場合に、把持具５ａにより運搬されたとき、電力の供給状態が停止状態又は待機状態に変更される。従って、本発明に係る液晶テレビ７は、テレビ放送の視聴を中断している運搬途中において、電源２の電力を確実に節電することができる。
【００６２】
その他の構成及び作用は、前述した実施の形態１と同様のため、同様の構成については同じ参照符号を付し、その構成の詳細な説明及び作用の説明を省略する。
【００６３】
以上、本発明に係る電気機器である撮像装置１又は液晶テレビ７について、実施の形態１、２又は３に示した構成に基づいて説明したが、本発明に係る電気機器は、前述した実施の形態１、２又は３に示した構成に限らず、本発明の趣旨に逸脱しない範囲にて一部の構成を削除又は変更することも可能である。
【００６４】
例えば、実施の形態１では、検出部６がストラップ５による運搬の検出をした場合に制御部６６が停止信号又は省電力信号を給電制御部９に出力し、停止信号又は省電力信号が入力された給電制御部９が電源２からの給電を停止するように、又は給電量が減少するように構成したが、電源２と各部３，４，１１，６６とを接続する電力線の中途にスイッチ６１を備える検出部６を設け、検出部６がストラップ５による運搬の検出をすれば、つまり、スイッチ６１が開状態になれば、電力線が断絶され、電源２からの給電が停止するように構成してもよい。
【００６５】
また、実施の形態１では、取付部材６０をスイッチ６１の方へ付勢し、当接部６２をスイッチ６１に当接させている付勢部材としてコイルスプリング６５を用いたが、付勢部材はコイルスプリング６５に限らず、例えば、合成ゴム等の弾性材料で作製した部材でもよく、取付部材６０をスイッチ６１の方へ付勢し、当接部６２をスイッチ６１に当接させる付勢力を発生するものであればよい。
【００６６】
さらに、実施の形態１では、取付部材６０をスイッチ６１に当接するようにコイルスプリング６５で付勢し、ストラップ５により撮像装置１を吊下げた状態で運搬した場合に取付部材６０がスイッチ６１から離反するように構成すると共に、スイッチ６１から取付部材６０が離反した場合に制御部６６に入力されている検出信号が断絶するように構成してあるが、スイッチ６１から取付部材６０が離反した場合に制御部６６に検出信号が入力されるように構成してもよい。
また、取付部材６０をスイッチ６１から離反するようにコイルスプリング６５で付勢し、ストラップ５により撮像装置１を吊下げた状態で運搬した場合に取付部材６０がスイッチ６１に当接するように構成すると共に、スイッチ６１に取付部材６０が当接した場合に制御部６６に入力されている検出信号が断絶するように構成してもよい。
また、取付部材６０をスイッチ６１から離反するようにコイルスプリング６５で付勢し、ストラップ５により撮像装置１を吊下げた状態で運搬した場合に取付部材６０がスイッチ６１に当接するように構成すると共に、スイッチ６１に取付部材６０が当接した場合に制御部６６に検出信号が入力されるように構成してもよい。
【００６７】
さらにまた、実施の形態２では、ストラップ５による運搬の検出を行う圧力センサ８は、運搬を検出した場合に検出信号を制御部６６に出力するように構成すると共に、制御部６６は、検出信号が入力された場合に停止信号又は省電力信号を給電制御部９に出力するように構成したが、圧力センサ８は、運搬を検出していない場合に検出信号を制御部６６に出力し、運搬を検出した場合に検出信号を断絶するように構成すると共に、制御部６６は、検出信号が断絶した場合に停止信号又は省電力信号を給電制御部９に出力するように構成してもよい。
【００６８】
また、以上の実施の形態では、撮像装置１は、ストラップ５により運搬された場合に電力の供給状態を待機状態に変更され、所定の時間が経過したときに、更に停止状態に変更されるように構成してあるが、待機状態の後に更に停止状態に変更する必要はなく、ストラップ５により運搬された場合に、電力の供給状態を単に待機状態に変更するように構成してもよい。
【００６９】
さらに、以上の実施の形態では、停止設定又は待機設定の選択を、液晶モニタ１１に表示された設定選択画像において、メニュー選択ボタン１２を操作して選択するように構成したが、停止設定又は待機設定の選択は、設定を選択する専用のスイッチを設け、該スイッチを操作して選択するように構成してもよい。
【００７０】
さらにまた、以上の実施の形態では、運搬用具としてストラップ５又は把持具５ａを用いたが、運搬用具はストラップ５又は把持具５ａに限らず、例えば取っ手でもよく、撮像装置１又は液晶テレビ７等の電気機器を運搬できるものであればよい。
【００７１】
また、以上の実施の形態では、本発明に係る撮像装置１をビデオカメラとしたが、撮像装置１は、ビデオカメラに限らず、例えばデジタルカメラでもよい。
【００７２】
さらに、以上の実施の形態では、本発明に係る電気機器を撮像装置１又は液晶テレビ７に適用しているが、本発明に係る電気機器は、撮像装置１又は液晶テレビ７に限らず、例えば携帯電話又はＰＤＡ（携帯情報端末）等、ストラップ５又は把持具５ａ等の運搬用具により運搬することが可能な電気機器に適用することができる。
【図面の簡単な説明】
【００７３】
【図１】実施の形態の撮像装置の外観を示す斜視図である。
【図２】実施の形態の撮像装置が備える検出部の断面図である。
【図３】実施の形態の撮像装置の電気的な構成の要部を示すブロック図である。
【図４】実施の形態の撮像装置の電力の供給状態を停止状態又は待機状態に変更する手順を示すフローチャートである。
【図５】実施の形態の撮像装置の電気的な構成の要部を示すブロック図である。
【図６】実施の形態の撮像装置の電力の供給状態を停止状態又は待機状態に変更する手順を示すフローチャートである。
【図７】本発明に係る電気機器である液晶テレビの正面図である。
【図８】本発明に係る電気機器である液晶テレビの一部を断面にした側面図である。
【図９】本発明に係る電気機器である液晶テレビの電気的な構成の要部を示すブロック図である。
【符号の説明】
【００７４】
１  撮像装置（電気機器）
２  電源
３  撮像部
５  ストラップ（運搬用具）
５ａ  把持具（運搬用具）
６  検出部
７  液晶テレビ（電気機器）
８  圧力センサ（センサ）
９  給電制御部
１１  液晶モニタ（液晶表示部）
６１  スイッチ
６６  制御部（信号出力部、タイマ）
【図１】
2005175820.tif 000003
【図２】
2005175820.tif 000004
【図３】
2005175820.tif 000005
【図４】
2005175820.tif 000006
【図５】
2005175820.tif 000007
【図６】
2005175820.tif 000008
【図７】
2005175820.tif 000009
【図８】
2005175820.tif 000010
【図９】
2005175820.tif 000011